(57)【特許請求の範囲】
【請求項１】
蓋（４）の取付孔（４ａ）に嵌挿されて固定される表示具（１）であって、該表示具（１）は表示具本体（２）と弾性体（３）とからなり、且つ表示具本体（２）は表示板部（２ａ）の下面で垂下する脚部（２ｂ）の下部に該脚部（２ｂ）自体がその外面より凹陥してなる係止部（２ｃ）が設けられ、該係止部（２ｃ）に弾性体（３）がその下端部（３ｂ）を着脱自在に係合させて脚部（２ｂ）に嵌め込み可能となされ、上記脚部（２ｂ）が蓋（４）の取付孔（４ａ）に嵌挿された際、蓋（４）の裏面（４ｂ）側に突出した脚部（２ｂ）に嵌め込まれる弾性体（３）が前記係止部（２ｃ）と裏面（４ｂ）との間にその反発弾性を抗して表示具本体（２）を着脱自在に固定することを特徴とする蓋の表示具。
【請求項２】
蓋（４）の取付孔（４ａ）に嵌挿されて固定される表示具（１）であって、該表示具（１）は表示具本体（２）と弾性体（３）とからなり、且つ表示具本体（２）は表示板部（２ａ）の下面で垂下する脚部（２ｂ）の下部に係止部（２ｃ）が設けられ、該係止部（２ｃ）は、その嵌挿孔（２ｋ）を脚部（２ｂ）に嵌挿する板状体（２ｊ）が脚部（２ｂ）の周方向に突出する如く装着されて形成され、上記板状体（２ｊ）が脚部（２ｂ）を軸として所定角度回転した位置において脚部（２ｂ）の下部と係脱自在となされ、上記脚部（２ｂ）が蓋（４）の取付孔（４ａ）に嵌挿された際、蓋（４）の裏面（４ｂ）側に突出した脚部（２ｂ）に嵌め込まれる弾性体（３）が前記係止部（２ｃ）と裏面（４ｂ）との間にその反発弾性を抗して表示具本体（２）を着脱自在に固定することを特徴とする蓋の表示具。
【請求項３】
脚部（２ｂ）の下部がその胴部より外突する断面略三角形となされ、該略三角形と相似形の嵌挿孔（２ｋ）を貫設せる板状体（２ｊ）の板面に、嵌挿孔（２ｋ）の三辺縁で上記脚部（２ｂ）下部の略三角形の各隅部と係合する凹溝（２ｉ）が設けられて、上記板状体（２ｊ）が脚部（２ｂ）の胴部において回転又は固定可能となされた請求項２記載の蓋の表示具。
【請求項４】
蓋（４）の取付孔（４ａ）に嵌挿されて固定される表示具（１）であって、該表示具（１）は表示具本体（２）と弾性体（３）とからなり、且つ表示具本体（２）は表示板部（２ａ）の下面で垂下する脚部（２ｂ）の下部に係止部（２ｃ）が設けられ、該係止部（２ｃ）は、その嵌挿孔（２ｋ）を脚部（２ｂ）に嵌挿する板状体（２ｊ）が、可撓性を有する脚部（２ｂ）自体の周方向に外突された下部に脚部（２ｂ）の反発弾性に抗して着脱自在に係止されて脚部（２ｂ）の周方向に突出する如く装着されて形成され、上記脚部（２ｂ）が蓋（４）の取付孔（４ａ）に嵌挿された際、蓋（４）の裏面（４ｂ）側に突出した脚部（２ｂ）に嵌め込まれる弾性体（３）が前記係止部（２ｃ）と裏面（４ｂ）との間にその反発弾性を抗して表示具本体（２）を着脱自在に固定することを特徴とする蓋の表示具。
【請求項５】
蓋（４）の取付孔（４ａ）に嵌挿されて固定される表示具（１）であって、該表示具（１）は表示具本体（２）と弾性体（３）とからなり、且つ表示具本体（２）は表示板部（２ａ）の下面で垂下する脚部（２ｂ）の下部に該脚部（２ｂ）自体が周方向に外突して係止部（２ｃ）が設けられ、脚部（２ｂ）が可撓性を有してその反発弾性に抗して該脚部（２ｂ）に弾性体（３）が着脱自在、及び／又は弾性体（３）がその反発弾性に抗して一時的に変形して脚部（２ｂ）に着脱自在に嵌め込み可能となされ、上記脚部（２ｂ）が蓋（４）の取付孔（４ａ）に嵌挿された際、蓋（４）の裏面（４ｂ）側に突出した脚部（２ｂ）に嵌め込まれる弾性体（３）が前記係止部（２ｃ）と裏面（４ｂ）との間にその反発弾性を抗して表示具本体（２）を着脱自在に固定することを特徴とする蓋の表示具。
【請求項６】
上記弾性体（３）がコイルばね（３ａ）となされた請求項１乃至５のいずれかに記載の蓋の表示具。
【発明の詳細な説明】
【０００１】
【発明の属する技術分野】
本発明は各種地下構造物の開口を閉塞する蓋の表示具に関し、更に詳しくは、蓋表面において各種地下構造物を管理するための情報を標示する蓋の表示具に関するものである。
【０００２】
【従来の技術】
従来、この種の表示具としては、例えば数字、文字、記号等の情報を標示した表示板の下面にボルトが植設され、該ボルトを蓋の取付孔に挿入して蓋裏面側に突出させ、ナットで螺合されることにより蓋に固定されるものがある。
【０００３】
又、特開２０００−２７３８８９号公報には、数字、文字、記号等の情報を標示した表示盤の下面に４つの分割片からなる脚部が突設され、該脚部の下部に膨出部が設けられた表示部材が開示されている。該表示部材は、脚部が蓋に設けた孔に挿入されて膨出部上面が蓋の孔の下面縁部に係合されることにより蓋に固定されるようになされている。
【０００４】
【発明が解決しようとする課題】
しかしながら、前者のボルト、ナットで固定する表示具は、ボルトとナットの螺合に手間がかかり固定作業が煩瑣となる問題がある。又、車両の通行等により蓋が振動するとナットが緩んでボルトから外れたり、かかる緩みから表示具にがたつきが生じて車両通行時の衝撃で表示板がボルトから破断する等の恐れがあり、表示具を蓋に確実かつ安定して固定することができない問題がある。
【０００５】
後者の脚部に膨出部を有する表示部材は、脚部の膨出部上面が蓋下面の孔縁部に単に係止されて固定されるのみで、前者の場合と同様に車両の通行等による蓋の振動に加えて、車両等が表示盤上を直接走行する際の荷重により脚部の膨出部と孔縁部の係止が外れやすい問題がある。又、表示盤下面と膨出部上面間の寸法が特定されてなるため、当該表示部材を固定できる蓋の厚みが限定され、例えて蓋の厚みにばらつきがある場合には、遊びが生じてガタついたり（薄い時）、寸法不足で係止ができなかったり（厚い時）して、蓋に確実かつ安定した状態で固定することが困難であるという問題がある。
【０００６】
本発明は上記課題を解決するためになされたもので、蓋に確実かつ安定した状態で容易に着脱又は固定できて固定時にはその離脱や破損を防止するとともに、たとえ蓋の厚みにばらつきがあっても、該ばらつきを吸収して対応しうる蓋の表示具を提供することを目的としている。
【０００７】
【課題を解決するための手段】
上記課題を解決するため、本発明蓋の表示具は、蓋４の取付孔４ａに嵌挿されて固定される表示具１であって、該表示具１は表示具本体２と弾性体３とからなり、且つ表示具本体２は表示板部２ａの下面で垂下する脚部２ｂの下部に係止部２ｃを設け、該脚部２ｂが蓋４の取付孔４ａに嵌挿された際、蓋４の裏面４ｂ側に突出した脚部２ｂに嵌め込まれる弾性体３が前記係止部２ｃと裏面４ｂとの間にその反発弾性を抗して表示具本体２を着脱自在に固定することを基本構成となし、請求項１の発明においては脚部２ｂの下部の係止部２ｃを、脚部２ｂ自体をその外面より凹陥して形成し、前記係止部２ｃに弾性体３がその下端部３ｂを着脱自在に係合させて脚部２ｂに嵌め込み可能となされることを特徴とする。
【０００８】
上記基本構成から本発明によれば、係止部２ｃと裏面４ｂとの間に作用する弾性体３の反発弾性力が裏面４ｂを反発面として表示具本体２を押し下げて常に下方に引張る作用を奏するので、蓋４、表示具本体２及び弾性体３が一体的に連結固定される。又、弾性体３の柔軟特性により、車両通行時等の蓋４の振動が加振、伝達等することなく吸収され、表示具本体２には蓋４との間でがたつきやずれ等が生じることがないため、該表示具本体２は離脱や破損等することなく確実、且つ安定した状態で蓋４に固定されるとともに、蓋４の厚みのばらつきも吸収され、厚みに多少のばらつきがある蓋４は素より、厚みの異なる蓋４に計画的に使用できる。又、請求項１の発明によれば、脚部２ｂの凹陥した係止部２ｃに弾性体３の下端部３ｂが係合され、該下端部３ｂの位置が拘束されてその反発弾性力が有効且つ確実に作用し、表示具本体２が安定、確実に固定される。
【０００９】
又、本発明蓋の表示具は、請求項２に記載する如く、上記基本構成を有し、その嵌挿孔２ｋを脚部２ｂに嵌挿する板状体２ｊが脚部２ｂの周方向に突出する如く装着されることにより上記係止部２ｃが形成され、上記板状体２ｊが脚部２ｂを軸として所定角度回転した位置において脚部２ｂの下部と係脱自在となされていてもよい。
更に、本発明の表示具は、請求項３に記載する如く、上記請求項２の表示具において、脚部２ｂの下部がその胴部より外突する断面略三角形となされ、該略三角形と相似形の嵌挿孔２ｋを貫設せる板状体２ｊの板面に、嵌挿孔２ｋの三辺縁で上記脚部２ｂ下部の略三角形の各隅部と係合する凹溝２ｉが設けられて、上記板状体２ｊが脚部２ｂの胴部において回転、又は固定可能となされていてもよい。
上記構成から請求項２及び３の発明によれば、上記基本構成による作用に加え、蓋４の裏面４ｂ側に突出した脚部２ｂに装着された弾性体３が脚部２ｂに嵌挿する板状体２ｊによって圧縮変形され、又、板状体２ｊが脚部２ｂを軸とし所定角度回転されて脚部２ｂの下部と係合、固定されることにより、弾性体３が板状体２ｊ上面を係止部２ｃとして裏面４ｂとの間にその反発弾性を抗して表示具本体２を蓋４に固定する。
【００１０】
又、本発明蓋の表示具は、請求項４に記載する如く、上記基本構成を有し、その嵌挿孔２ｋを脚部２ｂに嵌挿する板状体２ｊが、可撓性を有する脚部２ｂ自体の周方向に外突された下部に脚部２ｂの反発弾性に抗して着脱自在に係止されて脚部２ｂの周方向に突出する如く装着されることにより上記係止部２ｃが形成されてもよい。
この構成から請求項４の発明によれば、上記基本構成による作用に加え、蓋４の裏面４ｂ側に突出した脚部２ｂに装着された弾性体３が脚部２ｂに嵌挿する板状体２ｊによって圧縮変形されるとともに、板状体２ｊが、脚部２ｂ自体の外突せる下部に係止されることにより、弾性体３が板状体２ｊ上面を係止部２ｃとして裏面４ｂとの間にその反発弾性を抗して表示具本体２を蓋４に固定する。
【００１１】
又、本発明蓋の表示具は、請求項５に記載する如く、上記基本構成を有し、脚部２ｂ自体の下部が周方向に外突されることにより上記係止部２ｃが形成され、脚部２ｂが可撓性を有してその反発弾性に抗して該脚部２ｂに弾性体３が着脱自在、及び／又は弾性体３がその反発弾性に抗して一時的に変形して脚部２ｂに着脱自在に嵌め込み可能となされてもよく、この構成から本発明によれば、上記基本構成による作用に加え、蓋４の裏面４ｂ側に突出した脚部２ｂの下方又は側方から嵌め込まれる弾性体３が、脚部２ｂの係止部２ｃと蓋４の裏面４ｂ間で圧縮変形されてその反発弾性力を発揮する。
【００１２】
又、本発明蓋の表示具は、請求項６に記載する如く、上記基本構成を有し、弾性体３がコイルばね３ａとなされていると、上記基本構成による作用に加え、裏面４ｂ側に突出する脚部２ｂの係止部２ｃと蓋４の裏面４ｂ間にある脚部２ｂを囲繞する如く嵌め込まれたコイルばね３ａの反発弾性力がその長さ方向に沿って有効、且つ均一に作用し、表示具本体２を安定かつ確実に固定でき好ましい。
【００１３】
更に又、上記弾性体３としてのコイルばね３ａには、円筒形コイルばねの他、円錐形コイルばね、つづみ形コイルばね、たる形コイルばね等、各種異形のコイルばねが使用され、又、該コイルばね以外の弾性体３としては、各種形状及び材質の板ばね、ゴム板等が使用される。
【００１４】
【発明の実施の形態】
以下、図面を参照しながら本発明の実施例について説明する。
図面において、１は本発明表示具であって、図２の場合は平面視円形の蓋４の中央部に数字を表示するべく固定されている。該表示具１は図２の場合に限定されることなく、例えば図３の如く蓋４の中央部にあって数字と文字の２種類を表示すべく２つ固定されていてもよく、或いは図２及び図３に示す蓋４の中央部の上及び／又は下に文字を表示するべく固定されてもよい。
即ち、種々の表示用として平面視円形、矩形、隅丸矩形及び多角形等各種の平面形状をなす所望蓋の適宜位置に適宜数固定されるものである。
【００１５】
上記表示具１は、表示具本体２と弾性体３とから形成され、後述するように例えば図１の如く蓋４の取付孔４ａに嵌挿固定されるものである。
表示具本体２は、表示板部２ａの下面に脚部２ｂが垂下されてなるもので、通常は可撓性を有する合成樹脂製となされているが、金属製等であってもよい。
【００１６】
表示板部２ａは、例えば図１、図２、図４及び図８の場合は円形板状、図３の場合は隅切矩形板状となされているが、半円形、だ円形、三角形、四角形、多角形、その他異形等適宜形状の板状となされておればよい。表示板部２ａの上面には管理用の情報としての数字、文字、記号、マーク等の適宜表示２ｇが浮彫り等適宜手段により施される。尚、図２及び図８の場合には地中埋設管の口径を示す「５０」の数字が表示２ｇとなされ、図３の場合には口径を示す「１００」の数字、管種を示す「ＤＣＩＰ」の文字が表示２ｇとなされている。
【００１７】
上記脚部２ｂは、通常は表示板部２ａの下面ほぼ中央部に垂下されるが、表示板部２ａの大きさや形状によっては適宜位置に複数垂下されてもよい。
該脚部２ｂはその下部に係止部２ｃが設けられ、蓋４の取付孔４ａを貫通する長さを有するとともに、取付孔４ａに嵌挿された際には、係止部２ｃと蓋４の裏面４ｂとの間に弾性体３を嵌め込みうる空間が生じる長さになされるもので、例えば図１、図４乃至図７、図９、図１３乃至図１５、図１６の右半部及び図１７乃至図２３に示す如き蓋４の裏面４ｂが平坦な場合や、図１０乃至図１２及び図１６の左半部に示す如き取付孔４ａの周囲を補強するべく蓋４の裏面４ｂが下方に膨出する場合、すなわち、蓋４の厚み及び弾性体３の態様に応じて適正長さに設定される。
【００１８】
又、脚部２ｂの形状は、図１、図４、図５、図１４、図１７乃至図１９、図２２及び図２３の場合の如く各種断面からなる中実棒状であってもよいし、図６乃至図１３、図１５、図１６、図２０及び図２１の場合の如く相互間に隙間を有すべくその長さ方向に沿う複数の脚片２ｄに分割されていてもよいし、或いは中空棒状となされていてもよい。
【００１９】
上記脚部２ｂの下部に設ける係止部２ｃは、図１、図４乃至図６の場合の如く脚部２ｂの下部に別途嵌挿されて着脱自在に固定される板状体２ｊから形成されてもよいし、図７乃至図２１の場合の如く脚部２ｂ自体の下部が周方向に外突して形成されてもよいし、図２２及び図２３の場合の如く脚部２ｂ自体がその下部で外面より凹陥して形成されてもよい。
【００２０】
上記係止部２ｃが脚部２ｂと別体の板状体２ｊから形成される場合は、脚部２ｂは通常中実棒状となされるが、中空棒状でもよく、或いは後述と同様に相互間に隙間を有すべくその長さ方向に沿う複数の脚片２ｄに分割されていてもよい。
この場合は後で詳述する如く、脚部２ｂが蓋４の取付孔４ａに嵌挿された後の弾性体３の装着時に、嵌挿孔２ｋを有する板状体２ｊが、脚部２ｂに下方から嵌挿されて弾性体３を圧縮変形せしめるとともに、脚部２ｂの周方向に突出する如く装着されることにより、弾性体３が抗する反発弾性力を受承するべき係止部２ｃを形成するものである。
従って、板状体２ｊを外した状態で脚部２ｂを取付孔４ａに嵌挿でき、板状体２ｊの形状や大きさが取付孔４ａの径に制約されず弾性体３に応じた適宜形状、大きさにでき、弾性体３を安定した状態で係止できる。しかも板状体２ｊが着脱自在となされることにより弾性体３や表示具本体２の着脱も容易に行える利点がある。
【００２１】
又、上記係止部２ｃが、脚部２ｂ自体の下部が周方向に外突して形成される場合は、上述の如く脚部２ｂは通常複数の脚片２ｄに分割されるが、中実棒状や中空棒状となされてもよく、係止部２ｃが脚部２ｂ自体その下部で外面より凹陥して形成される場合は、脚部２ｂは通常中実棒状や中空棒状となされる。
例えば図７、図８、図１２、図１６、図２０及び図２１の場合は脚部２ｂは長さ方向に沿う２つの脚片２ｄに分割され、図１０の場合は長さ方向に沿う３つの脚片２ｄに分割され、図９、図１１、図１３及び図１５の場合は長さ方向に沿う４つの脚片２ｄに分割され、各脚片２ｄの下部が周方向に外突して係止部２ｃが設けられている。
【００２２】
上記脚部２ｂが複数の脚片２ｄに分割されている場合には、各脚片２ｄに可撓性が付与されることになり、各脚片２ｄを蓋４の取付孔４ａに嵌挿、又は取付孔４ａから外す場合や、弾性体３を各脚片２ｄに嵌め込み、又は各脚片２ｄから外す際に、各脚片２ｄの下端が縮径し、又、反発復帰するという弾性力に抗する動きがよくなり、表示具本体２の蓋４への着脱及び弾性体３の着脱も容易に行え好ましい。
【００２３】
上記複数に分割された各脚片２ｄの下部の係止部２ｃは、図１３を除き略水平張出し状をなし、該脚片２ｄに嵌め込まれる弾性体３の係止を確実にしうるようになされ、又、係止部２ｃ以下が先細り状をなすべくその外面及び内面が傾斜面２ｅとなされることで、上記取付孔４ａでの着脱や弾性体３の着脱が容易にできるようになされている。尚、各脚片２ｄのすべてに係止部２ｃ及び傾斜面２ｅが設けられているのが好ましいが、必ずしもこれに限定されるものではない。又、図１３の如く弾性体３の形状構造に適合するように、係止部２ｃは球状の一部となされていてもよい。
又、脚部２ｂは、図１４、図１７乃至図１９の場合は各種断面からなる中実棒状となされ、脚部２ｂの外突する係止部２ｃの下端縁に傾斜面２ｅが設けられているが、必ずしも傾斜面２ｅは設けられなくてもよい。
【００２４】
更に、図１７の如く、脚部２ｂから周方向に外突される係止部２ｃは、上記したように必ずしも略水平状態で突出されずに、同図（ロ）及び（ハ）の如き周方向全体、又は同図（ニ）の如き周方向の一部が膨出して形成され、又、その上面が同図（イ）の如く外周に向けて下る傾斜面であってもよく、係止部２ｃの付根部たる脚部２ｂの胴部下端に係合部２ｆとしての凹溝が設けられていると、後述するように弾性体３の下端部を係合でき、弾性体３が傾斜面をなす係止部２ｃから外れにくく好ましい。
【００２５】
上記いずれの場合の係止部２ｃも脚部２ｂの周方向全体に亘って設けられてもよいし、周方向の一部に設けられてもよい。又、図４、図５、図１５、図１６及び図２３の如く、係止部２ｃの上面に係合部２ｆとしての凹溝若しくは孔が設けられていると、後述するように弾性体３の下端部を係合でき、弾性体３が係止部２ｃから外れにくく好ましい。更に、上記凹溝に代えて係止部２ｃの上面を外方で上向く傾斜面に形成して弾性体３の下端部と係合させることもできる。
【００２６】
脚部２ｂの上端根元部の断面形状は、通常、蓋４の取付孔４ａの孔形状に適合されており、例えば図４、図１７（ハ）、（ニ）及び図２２の如く円形以外の形状となされていると脚部２ｂが取付孔４ａ内で回転しないため、表示板部２ａの表示２ｇを所定の向きに固定できる。とくに表示板部２ａが円形板状の場合に有効である。
上記脚部２ｂの上端根元部の断面形状は勿論円形であってもよい。この場合には表示板部２ａが例えば図３（ロ）及び（ハ）の如く円形以外の板状となされ、蓋４の表面に表示板部２ａを嵌め込むべく、表示板部２ａの外郭形状と略相似形状をなす嵌合凹部４ｆが設けられ、該嵌合凹部４ｆ内で表示板部２ａの動きを規制するようになされていると、表示２ｇを所定の向きに固定でき好ましい。
【００２７】
なお、脚部２ｂの上端根元部が蓋４の取付孔４ａの孔径とほぼ等しいかやや小さい外径となされていると、取付孔４ａ内面との摩擦を少なくして嵌挿でき好ましい。図面では上端根元部付近の外周に複数のリブ２ｈが突設され、取付孔４ａ内面に当接するようになされており、上記リブ２ｈがあると脚部２ｂが取付孔４ａ内面でガタつかず好ましいが、かかるリブ２ｈの具体的な態様はこれに限定されず、例えて縦状リブ、斜め状リブ、螺旋状リブ等の他、粒状の凸部等に自由に変更可能であるとともに、図９、図１８及び図２２に示す如くこれを設けていない脚部２ｂとしてもよい。
【００２８】
弾性体３としては、例えば図１、図４乃至図６、図１９及び図２３に示す通常の円筒形のコイルばね３ａの他、図８（ホ）に示す円錐形のコイルばね３ａ、図１０乃至図１４に示す各種形状構造の板ばねが使用される。その他図２０に示す如きたる形のコイルばね３ａや図２１に示す如きつづみ形のコイルばね３ａを使用することもできる。上記コイルばね３ａは、脚部２ｂを囲繞する如く嵌挿されてその反発弾性力を脚部２ｂの長さ方向に沿わせて有効、且つ均一に作用させ、表示具本体２を強固に固定できることから好適な使用が行える。
尚、円錐形のコイルばね３ａ及びつづみ形のコイルばね３ａの場合は、その大径側を蓋４の裏面４ｂ側に位置するべく用いるので、裏面４ｂ側での接触、支持が大となって安定上好ましい。更に又、その他ゴム板等が弾性体３として使用されてもよい。
上記弾性体３は、表示具本体２の脚部２ｂに着脱自在に嵌め込まれることにより、表示具本体２を蓋４に着脱自在に固定するものである。
【００２９】
以下、本発明表示具１の固定方法を、使用される弾性体３と共に各実施例について説明する。
まず、脚部２ｂに別体の板状体２ｊが組付けられて、脚部２ｂに実質的に係止部２ｃが設けられる実施例について説明する。
図１に示す場合、脚部２ｂは、表示板部２ａとの付根部断面が取付孔４ａと適合する円形で、その胴部を縮径せる円柱体となすとともに、先端部が取付孔４ａを通過可能な大きさの隅切三角形に形成され、且つ該隅切三角形の上面が前記胴部より外突して係止部２ｃ′をなすもので、かかる脚部２ｂには円筒形のコイルばね３ａが嵌挿されるとともに、前記係止部２ｃ′に係合される板状体２ｊ（実質的にコイルばね３ａの下端部３ｂを係止する係止部２ｃをなす）により固定される。
即ち、上記板状体２ｊの中央部には、前記脚部２ｂの先端にある隅切三角形と相似形で寸法が稍大きい嵌挿孔２ｋが貫設され、又、その裏面には嵌挿孔２ｋの三辺縁で前記隅切三角形の各隅部と係合する底面視略三角形の凹溝２ｉが夫々設けられてなり、裏面４ｂ側に突出した脚部２ｂに嵌挿されたコイルばね３ａを、脚部２ｂの下方から凹溝２ｉ側を下向けて嵌挿する板状体２ｊによって圧縮変形させるとともに、該板状体２ｊを胴部に至らしめて回転させると、前記凹溝２ｉが隅切三角形の各隅部にある係止部２ｃ′と凹凸嵌合することで、該コイルばね３ａは板状体２ｊの上面を係止部２ｃとして蓋４の裏面４ｂとの間にその反発弾性力を抗して表示具本体２を蓋４に固定する。
【００３０】
図４は、上記図１に示す表示具本体２の変形例を示し、この場合脚部２ｂが隅切三角柱となされ、その下部外面に後述せる板状体２ｊが回転可能となるべく残余の軸断面を円形となす凹溝２ｉが周設されてなり、かかる脚部２ｂには同図（チ）及び（リ）に示す如き、その下端部３ｂの末端が少許屈曲して起立部３ｂ′をなす円筒形のコイルばね３ａが嵌挿されるとともに、前記凹溝２ｉに嵌挿される板状体２ｊにより固定される。
即ち、上記板状体２ｊの中央部には、前記脚部２ｂと相似形で寸法が稍大きい嵌挿孔２ｋが貫設されてなり、裏面４ｂ側に突出した脚部２ｂに嵌挿されたコイルばね３ａを、脚部２ｂの下方から嵌挿する板状体２ｊによって圧縮変形させるとともに、該板状体２ｊの位置を凹溝２ｉと合致せしめて回転させることで、板状体２ｊが凹溝２ｉに係合すると同時に、脚部２ｂの外面部に回転移動して現出した嵌挿孔２ｋの一箇所が係合部２ｆとなり、該所にコイルばね３ａの起立部３ｂ′が係止、係合することで、該コイルばね３ａは板状体２ｊの上面を係止部２ｃとして蓋４の裏面４ｂとの間にその反発弾性力を抗して表示具本体２を蓋４に固定する。
【００３１】
図５の場合は、脚部２ｂが円柱となされ、その下部外面に、下端面から縦設する溝体の上端を水平に屈折させることで略逆Ｌ字形を呈する凹溝２ｉが背向して設けられてなり、かかる脚部２ｂには円筒形のコイルばね３ａが嵌挿されるとともに、前記凹溝２ｉに嵌着される板状体２ｊにより固定される。
即ち、上記板状体２ｊの中央部には、前記脚部２ｂに適合する嵌挿孔２ｋが貫設され、該嵌挿孔２ｋの対向面には前記凹溝２ｉに挿入可能な円形の凸部２ｌが設けられてなり、裏面４ｂ側に突出した脚部２ｂに嵌挿されたコイルばね３ａを、脚部２ｂの下方からその凹溝２ｉに凸部２ｌを挿入して嵌挿する板状体２ｊによって圧縮変形させるとともに、その凸部２ｌが凹溝２ｉの上端に当接した時点で板状体２ｊを回転させて横設せる凹溝２ｉに係合することで、該コイルばね３ａはその下端部３ｂが板状体２ｊの上面にある凹状の係合部２ｆで固定されると同時に、係合部２ｆと裏面４ｂとの間にその反発弾性力を抗して表示具本体２を蓋４に固定する。
尚、上記実施例においては、凸部２ｌと凹溝２ｉの係合を２箇所で行ったが、かかる係合個所を３箇所以上に増加せしめれば、板状体２ｊがぐらつかず安定して好ましい。
【００３２】
図６の場合は、脚部２ｂは相互間に隙間を有すべくその長さ方向に沿う４つの脚片２ｄに分割され、各脚片２ｄの下部が周方向に外突して係止部２ｃ′が設けられてなる。而して、該脚部２ｂには円筒形のコイルばね３ａが嵌挿されるとともに、係止部２ｃ′に係止された板状体２ｊにより固定される。
即ち、上記板状体２ｊの中央部には、前記脚部２ｂに適合する嵌挿孔２ｋが貫設され、裏面４ｂ側に突出した脚部２ｂに嵌挿されたコイルばね３ａを、脚部２ｂの下方から嵌挿する板状体２ｊによって圧縮変形させる。この板状体２ｊの嵌挿時に、その嵌挿孔２ｋを脚片２ｄの下端外側にある傾斜面２ｅに沿って押し込むと、各脚片２ｄの下端が夫々内側に縮径するとともに、嵌挿孔２ｋが外突せる係止部２ｃ′を通過した時点で外側に反発、復帰することで板状体２ｊの下面が係止部２ｃ′に係止されると同時に、コイルばね３ａが板状体２ｊの上面を係止部２ｃとして蓋４の裏面４ｂとの間にその反発弾性力を抗して表示具本体２を蓋４に固定する。
【００３３】
而して、上記図１及び図４乃至図６に示す表示具１にあっては、係止部２ｃたる板状体２ｊに設けられた係止部２ｃ′（図１）や嵌挿孔２ｋ（図４）及び凸部２ｌ（図５）が脚部２ｂにある凹溝２ｉ（図１、図４及び図５）と凹凸係合し、或いは板状体２ｊがその下面で脚部２ｂ自体に外突された係止部２ｃ′に係止され（図６）るとともに、コイルばね３ａの反発力に抗して常に押し下げられてなるために、蓋４の振動等、如何なる外力が作用した際にも上記固定状態が解除されない。
更に、上記固定状態にある板状体２ｊをもってコイルばね３ａを圧縮変形せしめるとともに、板状体２ｊを回転させ、或いは脚部２ｂの下端をその反発弾性に抗して一時的に縮径させてその固定を解除させるだけで、コイルばね３ａの反発力に抗して板状体２ｊを自動的に脚部２ｂから抜き取ることができる。
【００３４】
尚、上記各実施形態においては、脚部２ｂを隅切三角柱や円柱、或いは長さ方向に沿い分割された脚片２ｄとなし、又、板状体２ｊの外郭形状を円形となしているが、かかる脚部２ｂや板状体２ｊの態様は一例で、その係止、係合方法をも含めて本発明の意図する範囲内で自由に設計変更可能であるとともに、弾性体３として使用されているコイルばね３ａを後述の板ばね等に替えることもできる。
尚又、上記図６の実施形態においては、脚部２ｂの下方からその中央部にある隙間へピン等を着脱自在に嵌挿し、各脚片２ｄを外方に押し広げて板状体２ｊの係止をより確実にしてもよいし、板状体２ｊの装着性を勘案して脚片２ｄの数を増減させたり、板状体２ｊを脚部２ｂに強嵌可能とすべく、脚部２ｂを可撓性の材質からなる中実や中空棒状としてもよい。
【００３５】
次に、係止部２ｃが脚部２ｂ自体の下部を周方向に外突して形成された実施例について説明する。
図７の場合、弾性体３としては、図８（ホ）に示す如き下端部３ｂの内径が係止部２ｃの外郭より小径に形成されるとともに、脚部２ｂの径より稍大きく形成され、且つその上端部３ｃ側で拡開する円錐形のコイルばね３ａが使用されている。
この場合、表示具本体２の脚部２ｂをなす２つの脚片２ｄが蓋４の取付孔４ａに嵌挿され、蓋４の裏面４ｂ側に突出した脚片２ｄに下方からコイルばね３ａの拡開側が上向く状態で嵌め込まれる。この時、コイルばね３ａの上端部３ｃを裏面４ｂに当接させた状態で、その下端部３ｂを脚片２ｄの下端外側にある傾斜面２ｅに沿って圧縮させて押し込むと、各脚片２ｄの下端が夫々内側に縮径するとともに、下端部３ｂが係止部２ｃに至った時点で外側に反発、復帰することでコイルばね３ａは係止部２ｃと蓋４の裏面４ｂとの間にその反発弾性に抗して嵌め込まれて表示具本体２を蓋４に固定する。
【００３６】
図９の場合も上記図７の場合と同様であり、異なるのは脚部２ｂが４つの脚片２ｄに分割されている点のみであるが、上記２つの脚片２ｄに比し、コイルばね３ａの下端部３ｂを係止する係止部２ｃが円周上に分散するため、より安定した状態でコイルばね３ａを嵌め込めるという優位性がある。
【００３７】
図１０の場合は、弾性体３として同図（ハ）及び（ニ）に示す如き、円筒部３ｅの周縁に斜め上方に向け複数の板片３ｆを突設した板ばね３ｄが使用され、同図（イ）及び（ロ）に示す如く蓋４の裏面４ｂ側に突出した脚片２ｄに、下方から板ばね３ｄの板片３ｆが上向く状態で円筒部３ｅが嵌め込まれることで板片３ｆが裏面４ｂに当接するとともに、円筒部３ｅの下端が係止部２ｃに係止する。この時、板ばね３ｄの板片３ｆが係止部２ｃと蓋４の裏面４ｂとの間に反発弾性を抗して表示具本体２を蓋４に固定する。
尚、上記板ばね３ｄの反発弾性力は、その周縁に突出する板片３ｆの数を変更することで調節可能で、例えて同図（ホ）及び（ヘ）に示す板ばね３ｄにあっては、その突出数を３つに減じている。
【００３８】
図１１の場合は、弾性体３として、同図（ハ）乃至（ホ）に示す如き、中央部に嵌挿孔３ｈを有する矩形状の基板３ｉの周縁四方が斜め上方に向け曲折されて板片３ｆをなす板ばね３ｇが使用され、同図（イ）及び（ロ）に示す如く、蓋４の裏面４ｂ側に突出した脚片２ｄに、下方から板ばね３ｇの板片３ｆが上向く状態で嵌挿孔３ｈが嵌め込まれることで、板片３ｆが裏面４ｂに当接するとともに、嵌挿孔３ｈの周縁が係止部２ｃに係止する。この時、板ばね３ｇの板片３ｆが係止部２ｃと蓋４の裏面４ｂとの間に反発弾性を抗して表示具本体２を蓋４に固定する。
【００３９】
図１２の場合は、弾性体３として同図（ハ）乃至（ホ）に示す如き、Ｕ字状に曲成された板ばね３ｊが使用されている。該板ばね３ｊの相対向する両端部にはその開口方向が互いに異なる切欠凹部３ｋが設けられている。すなわち、同図（ニ）に示す如く、板ばね３ｊの下部材に位置する切欠凹部３ｋは下方に開口されて略逆Ｕ字状を呈し、又上部材に位置する切欠凹部３ｋは上方に開口されて略Ｕ字状を呈している。この場合は、同図（イ）及び（ロ）に示す如く、蓋４の裏面４ｂ側に突出した脚片２ｄを側方から挟むように、板ばね３ｊの両切欠凹部３ｋが嵌め込まれることで、その上部材が裏面４ｂに当接するとともに、下部材にある切欠凹部３ｋの周縁が係止部２ｃに係止する。この時、板ばね３ｊが係止部２ｃと蓋４の裏面４ｂとの間に反発弾性を抗して表示具本体２を蓋４に固定する。
尚、上記板ばね３ｊの切欠凹部３ｋに代えて、例えば同図（ヘ）及び（ト）に示す如く、短く曲成された板ばね３ｊの相対向面に嵌挿孔３ｈが夫々穿設されていてもよく、この場合には脚部２ｂの下方から嵌挿孔３ｈが嵌め込まれることで、その上部材が裏面４ｂに当接するとともに、下部材にある嵌挿孔３ｈの周縁が係止部２ｃに係止する。
【００４０】
図１３の場合は、弾性体３として同図（ハ）乃至（ヘ）に示す如き円形で少許下湾曲する基板３ｉに、縁部から中心に達する外方漸開状でその中心部を欠円形となす切欠部３ｑが設けられるとともに、基板３ｉの縁部に沿う立片３ｒが適宜間隔を有して設けられた板ばね３ｏが使用され、同図（イ）及び（ロ）に示す如く、蓋４の裏面４ｂ側に突出した脚片２ｄに、側方から板ばね３０の立片３ｒが上向く状態で切欠部３ｑが嵌め込まれることで、立片３ｒが裏面４ｂに当接するとともに、基板３ｉの中心部にある切欠部３ｑの欠円形の周縁が球状の一部からなる係止部２ｃに係止する。この時、板ばね３０の基板３ｉが係止部２ｃと蓋４の裏面４ｂとの間に反発弾性を抗して表示具本体２を蓋４に固定する。
【００４１】
図１４の場合は、弾性体３として同図（ハ）乃至（ヘ）に示す如き円錐形に巻回されるとともに、その両端部に設けられたつまみ３ｔを閉じることで、巻回状態が緩んでその径を広げ、又、高さを低くなすことが可能（同図（ホ）及び（ヘ）において二点鎖線で示す状態）な板ばね３ｓが使用され、同図（イ）及び（ロ））に示す如く、蓋４の裏面４ｂ側に突出した脚部２ｂに、前記つまみ３ｔの操作によりその径が広がり、又、高さが低くなった板ばね３ｓを嵌挿してその操作を解除することで、該脚部２ｂに嵌め込まれた板ばね３ｓが元の径及び高さに復帰すると同時に、その下端部３ｂが係止部２ｃに係止し、蓋４の裏面４ｂとの間に反発弾性を抗して表示具本体２を蓋４に固定する。
【００４２】
図１５（イ）、（ロ）及び図１６の場合は、弾性体３として図７及び９の場合と同様に円錐形のコイルばね３ａが使用され、その固定方法も同様であるが、当該コイルばね３ａはその下端部３ｂが係止部２ｃに設けられた係合部２ｆとしての凹溝に係合され、又、上端部３ｃが蓋４の裏面４ｂに設けられた係合部４ｃとしての凸条により囲繞され固定されている。即ち、コイルばね３ａが確実に係止部２ｃと裏面４ｂとの間に位置するように横方向の動きが規制されている。
特に、コイルばね３ａの上端部３ｃの位置が拘束されると、コイルばね３ａの疲労等による変形（上端部３ｃの径が大きくなる）が予防されてその反発弾性力を長期にわたり持続させることができる。
【００４３】
上記蓋４の裏面４ｂにある係合部４ｃとしての凸条は、図１５（イ）及び（ロ）の場合は環状に連続形成されており、又、図１６左半部の場合は環状を分断せしめて非連続にしているが、該係合部４ｃは図１６右半部に示す如く、蓋４の裏面４ｂが凹陥して形成されるものであってもよいし、図１５（ハ）の如く適宜突部によって仕切られた部分として形成されるものの他、任意の外郭形状をもって形成されてもよい。
【００４４】
又、図１７の場合も上記と同様に円錐形のコイルばね３ａが使用され、可撓性材料からなるとともに、下部で膨出成形された中実の脚部２ｂを取付孔４ａに強嵌して裏面４ｂ側へ突出せしめ、その下方からコイルばね３ａの拡開側を上向き状態にして強制的に嵌め込むと、コイルばね３ａの下端部３ｂが膨出成形された係止部２ｃの付根部たる脚部２ｂの胴部下端で凹溝をなす係合部２ｆに係合され、又、上端部３ｃが蓋４の裏面４ｂで環状の凹溝をなす係合部４ｃに係合され、コイルばね３ａが確実に係止部２ｃと裏面４ｂとの間に位置するようになされている。
【００４５】
ここで、脚部２ｂの下部で膨出成形される係止部２ｃの外郭寸法が蓋４の取付孔４ａ及びコイルばね３ａの下端部３ｂの寸法よりも大きく形成されてなるために、該取付孔４ａ及び下端部３ｂへ強嵌可能となすべく脚部２ｂを可撓性の材質で構成することを要するが、前記形状の脚部２ｂが剛性を有する場合は、図１８（イ）に示す如く、脚部２ｂの表示板部２ａ側の付根部及び係止部２ｃの外郭部の寸法を取付孔４ａと略適合する寸法となして脚部２ｂの胴部を先細り状に形成し、或いは、同図（ロ）及び（ハ）に示す如く、大径に形成される係止部２ｃの外郭部、及びこれよりも小径に形成される脚部２ｂの付根部の寸法と略適合する夫々寸法の異なった２つの孔４ａ′を連結形成して蓋４の取付孔４ａとなす方法等がある。
【００４６】
又、図１５乃至図１７の場合は、コイルばね３ａの上端部３ｃ、下端部３ｂが共にそれぞれ係合部２ｆ，４ｃに係合されるようになされており好ましいが、上端部３ｃのみが係合部４ｃに係合されたり、下端部３ｂのみが係合部２ｆに係合されるようになされていてもよい。すなわち、脚部２ｂの係止部２ｃに係合部２ｆが設けられている場合には蓋４には係合部４ｃがなく、蓋４に係合部４ｃが設けられている場合には係止部２ｃに係合部２ｆがなくともよい。
【００４７】
更に又、弾性体３としてのコイルばね３ａには、図１９に示す如き通常の円筒形のコイルばね３ａの他、図２０に示す如きたる形のコイルばね３ａ及び図２１に示す如きつづみ形のコイルばね３ａ等、各種異形のコイルばねを使用することも可能で、これらを含めてコイルばね３ａはその反発弾性力を脚部２ｂの長さ方向に沿って有効、且つ均一に作用させて表示具本体２を固定する。
【００４８】
次に、係止部２ｃが脚部２ｂ自体の下部で、その外面より凹陥して形成された実施例について説明する。
図２２の場合、脚部２ｂが隅切三角柱となされ、その下部三隅部に外面から凹陥する係止部２ｃが設けられてなり、かかる脚部２ｂがこれと同形状をなす蓋４の取付孔４ａに嵌挿されるとともに、その裏面４ｂ側に突出した脚部２ｂの各係止部２ｃに円錐形のコイルばね３ａの下端部３ｂを夫々係合せしめることで、該コイルばね３ａは係止部２ｃと蓋４の裏面４ｂとの間にその反発弾性に抗して嵌め込まれて表示具本体２を蓋４に固定する。
ここで、係止部２ｃに係合してコイルばね３ａの下端部３ｂが囲繞する脚部２ｂの軸断面を円形となして前記下端部３ｂとの係合性を高めているが、かかる軸断面は脚部２ｂ自体の形状を含めて同図（ト）に示す多角形の他、自由に設定可能である。
【００４９】
図２３の場合は、脚部２ｂが円柱となされ、その下端面に２つの脚片２ｄを形成するべく、一文字状の凹溝２ｉを設けるとともに、該凹溝２ｉと直交する凹状の係止部２ｃを前記縦断面略Ｌ字状をなす脚片２ｄに夫々内蔵せしめてなるもので、かかる脚部２ｂには同図（チ）及び（リ）に示す如き、その下端部３ｂをなすばね部材が直線的に屈曲されることで、底面視がの字形をなす円筒形のコイルばね３ａが嵌挿される。
即ち、蓋４の取付孔４ａに嵌挿されて裏面４ｂ側に突出した脚部２ｂの下方から、前記コイルばね３ａを圧縮変形させて嵌挿するとともに、その下端部３ｂを脚部２ｂの下端面にある一文字状の凹溝２ｉ内に挿入し、且つ凹溝２ｉの上端に至らせた時点でコイルばね３ａを９０度回転させ、かかる下端部３ｂを脚片２ｄに内蔵せる係止部２ｃに係合させることで、該コイルばね３ａは脚部２ｂに固定されると同時に、係止部２ｃと裏面４ｂとの間にその反発弾性力を抗して表示具本体２を蓋４に固定する。
【００５０】
以上述べた各実施例において、係止部２ｃと裏面４ｂとの間に作用する弾性体３の反発弾性力が裏面４ｂを反発面として表示具本体２を押し下げて常に下方に引張る作用を奏するので、蓋４、表示具本体２及び弾性体３が一体的に連結固定される。又、係止部２ｃをなす板状体２ｊを除去したり、脚部２ｂの下端をその反発弾性力に抗して一時的に縮径させたり、或いは弾性体３自体をその反発弾性力に抗して一時的に変形させたりして、弾性体３を脚部２ｂに着脱自在とすることにより、表示具本体２もまた蓋４に着脱自在に固定される。
【００５１】
【発明の効果】
以上詳述した如く、基本的に本発明表示具は、蓋の裏面側に突出した表示具本体の脚部に嵌め込まれる弾性体が、脚部の係止部と蓋の裏面との間にその反発弾性を抗して表示具本体を固定するようになされているため、車両の通行等により蓋が振動しても該振動は弾性体の柔軟特性によって加振、伝達等することなく吸収され、表示具本体には蓋との間でがたつきやずれ等が生じることがないので、該表示具本体は離脱や破損等することなく確実かつ安定した状態で蓋に固定される。しかも、弾性体の反発弾性力によって固定していることから、厚みに多少のばらつきがある蓋は素より、厚みの異なる蓋に計画的に使用できる。
又、弾性体が表示具本体を着脱自在に固定することから、一旦表示具本体を蓋に固定した後に表示内容に変更が生じた場合や、表示具本体、弾性体に不都合が生じた場合等必要に応じて取替えできる。
【００５２】
又、本発明表示具は、その嵌挿孔を脚部に嵌挿する板状体が脚部の周方向に突出する如く装着されて係止部が形成され、上記板状体が脚部を軸として所定角度回転した位置において脚部の下部と係脱自在となされ、或いはかかる表示具において、脚部の下部がその胴部より外突する断面略三角形となされ、該略三角形と相似形の嵌挿孔を貫設せる板状体の板面に、嵌挿孔の三辺縁で上記脚部下部の略三角形の各隅部と係合する凹溝が設けられて、上記板状体が脚部の胴部において回転又は固定可能となされているので、板状体を外した状態で表示具本体の脚部を蓋の取付孔に容易に嵌挿でき、又、蓋の裏面側に突出した脚部に板状体を嵌挿し所定角度回転させて脚部の下部に係止、係合させるという簡単な操作により脚部に挿通された弾性体を板状体上面と蓋の裏面間で圧縮変形させることができ、固定や取外し作業が速やかにできて作業性がよい。
【００５３】
又、本発明表示具は、その嵌挿孔を脚部に嵌挿する板状体が、可撓性を有する脚部自体の周方向に外突された下部に脚部の反発弾性に抗して着脱自在に係止され、脚部の周方向に突出する如く装着されて係止部が形成されるため、脚部に板状体の嵌挿孔を強嵌して脚部の外突する下部に係止させるという簡単な操作により、脚部に挿通された弾性体を板状体上面と蓋の裏面間で圧縮変形させることができ、固定や取外し作業が速やかにできる。
【００５４】
しかも、上記板状体が脚部に組付けられて係止部が形成される本発明表示具では、圧縮変形せる弾性体の反発力に抗して板状体は常時押し下げられているために、固定時には蓋の振動等、如何なる外力が作用してもその係止、係合が解除されずに確実な固定が行えるとともに、取り外し時には板状体を回転させて前記係止、係合を解除させたり、或いは脚部下端を一時的に縮径させて板状体との係止を外すだけで板状体を自動的に脚部から抜き取れる。
更に、板状体の形状や大きさが上記取付孔の径に制約されず、弾性体に応じて適宜形状や大きさとして弾性体下端部を安定した状態で係止でき、表示具本体を安定且つ確実に固定できる。
又、本発明表示具は、脚部自体の下部が周方向に外突されたり、或いは脚部自体の下部がその外面より凹陥されることにより脚部の係止部が形成されているので、表示具本体と弾性体の２つの部品、即ち少部品により構成できるとともに、上記係止部が外突する場合には脚部が可撓性を有してその反発弾性に抗して該脚部に弾性体が着脱自在、及び／又は弾性体がその反発弾性に抗して一時的に変形して脚部に着脱自在に嵌め込み可能となされ、又、係止部が凹陥する場合には弾性体がその下端部を係止部に着脱自在に係合させて脚部に嵌め込み可能となされるので、蓋の裏面側に突出した脚部に、その下部で外突又は凹陥する係止部と蓋の裏面間に弾性体を圧縮変形させて嵌め込むという簡単な作業で表示具本体を固定できる。
【００５５】
更に、本発明表示具は、弾性体がコイルばねとなされていることから、裏面側に突出する脚部の係止部と蓋の裏面との間にある脚部を囲繞する如く嵌挿されたコイルばねの反発弾性力をその長さ方向に沿って有効、且つ均一に作用させ、表示具本体を安定かつ確実に固定できる。
【図面の簡単な説明】
【図１】本発明の一実施例を示し、（イ）は図２（イ）におけるＡ−Ａ拡大断面図、（ロ）は図２（ハ）におけるＢ部拡大図、（ハ）は（イ）におけるＸ−Ｘ断面図、（ニ）は表示具本体の正面図、（ホ）は同底面図、（ヘ）は板状体の底面図、（ト）は（ヘ）におけるＹ−Ｙ断面図。
【図２】本発明表示具を蓋に固定した状態を示し、（イ）は平面図、（ロ）は正面図、（ハ）は底面図。
【図３】本発明の他の実施例を示し、（イ）は表示具を固定した蓋の一部平面図、（ロ）及び（ハ）は表示具本体の平面図。
【図４】本発明の更に他の実施例を示し、（イ）は使用状態の要部断面図、（ロ）は同底面図、（ハ）は（イ）におけるＰ−Ｐ断面図、（ニ）は表示具本体の正面図、（ホ）は同底面図、（ヘ）は板状体の正面図、（ト）は同底面図、（チ）は弾性体の正面図、（リ）は同底面図。
【図５】本発明の更に他の実施例を示し、（イ）は使用状態の要部断面図、（ロ）は同底面図、（ハ）は（イ）におけるＱ−Ｑ断面図、（ニ）は表示具本体にある脚部の一部正面図、（ホ）は同一部右側面図、（ヘ）は同底面図、（ト）は（ニ）におけるＲ−Ｒ断面図、（チ）は板状体の正面図（一部（リ）におけるＳ−Ｓ断面図）、（リ）は同底面図。
【図６】本発明の更に他の実施例を示し、（イ）は使用状態の要部断面図、（ロ）は同底面図、（ハ）は板状体の正面図、（ニ）は同底面図。
【図７】本発明の更に他の実施例を示し、（イ）は使用状態の要部断面図、（ロ）は同底面図。
【図８】表示具本体と弾性体の一例を示し、（イ）は表示具本体の正面図、（ロ）は同（イ）におけるＣ部拡大図、（ハ）は同平面図、（ニ）は同底面図、（ホ）は弾性体の正面図。
【図９】本発明の更に他の実施例を示し、（イ）は使用状態の要部断面図、（ロ）は同底面図。
【図１０】本発明の更に他の実施例を示し、（イ）は使用状態の要部断面図、（ロ）は同底面図、（ハ）は弾性体の底面図、（ニ）は（ハ）におけるＤ−Ｄ断面図、（ホ）は他の弾性体の底面図、（ヘ）は同（ホ）のＥ−Ｅ断面図。
【図１１】本発明の更に他の実施例を示し、（イ）は使用状態の要部断面図、（ロ）は同底面図、（ハ）は弾性体の正面図、（ニ）は同底面図、（ホ）は（ニ）におけるＦ−Ｆ断面図。
【図１２】本発明の更に他の実施例を示し、（イ）は使用状態の要部断面図、（ロ）は同底面図、（ハ）は弾性体の正面図、（ニ）は同底面図、（ホ）は（ハ）におけるＧ−Ｇ断面図、（ヘ）は他の弾性体の正面図（一部（ト）におけるＪ−Ｊ断面図）、（ト）は同底面図。
【図１３】本発明の更に他の実施例を示し、（イ）は使用状態の要部断面図、（ロ）は同底面図、（ハ）は弾性体の正面図、（ニ）は同平面図、（ホ）は同底面図、（ヘ）は（ホ）におけるＨ−Ｈ断面図。
【図１４】本発明の更に他の実施例を示し、（イ）は使用状態の要部断面図、（ロ）は同底面図、（ハ）は弾性体の正面図、（ニ）は同平面図、（ホ）は同底面図、（ヘ）は（ホ）におけるＩ−Ｉ断面図。
【図１５】本発明の更に他の実施例を示し、（イ）は使用状態の要部断面図、（ロ）は同底面図、（ハ）は他の蓋を示す一部底面図。
【図１６】本発明の更に他の実施例を示し、（イ）は使用状態の要部断面図、（ロ）は同底面図。
【図１７】本発明の更に他の実施例を示し、（イ）は使用状態の要部断面図、（ロ）は（イ）における表示具本体の脚部にある係止部を表す水平断面図、（ハ）及び（ニ）は同他の表示具本体の脚部にある係止部を表す水平断面図。
【図１８】（イ）は本発明の更に他の実施例を示す使用状態の要部断面図、（ロ）は他の蓋を示す一部平面図、（ハ）は（ロ）におけるＫ−Ｋ断面図。
【図１９】（イ）は本発明の更に他の実施例を示す使用状態の要部断面図、（ロ）は弾性体の正面図。
【図２０】（イ）は本発明の更に他の実施例を示す使用状態の要部断面図、（ロ）は弾性体の正面図。
【図２１】（イ）は本発明の更に他の実施例を示す使用状態の要部断面図、（ロ）は弾性体の正面図。
【図２２】本発明の更に他の実施例を示し、（イ）は使用状態の要部断面図、（ロ）は同底面図、（ハ）は表示具本体にある脚部の一部正面図、（ニ）は同底面図、（ホ）は（ハ）におけるＬ−Ｌ断面図、（ヘ）は（イ）におけるＭ−Ｍ断面図、（ト）は他の脚部を示す水平断面図。
【図２３】本発明の更に他の実施例を示し、（イ）は使用状態の要部断面図、（ロ）は同底面図、（ハ）は（イ）におけるＮ−Ｎ断面図、（ニ）は表示具本体にある脚部の一部正面図、（ホ）は同一部左側面図、（ヘ）は同底面図、（ト）は（ニ）におけるＯ−Ｏ断面図、（チ）は弾性体の正面図、（リ）は同底面図。
【符号の説明】
１    表示具
２    表示具本体
２ａ  表示板部
２ｂ  脚部
２ｃ  係止部
２ｄ  脚片
２ｅ  傾斜面
２ｆ  係合部
２ｊ  板状体
２ｋ  嵌挿孔
３    弾性体
３ａ  コイルばね
３ｂ  下端部
３ｃ  上端部
３ｄ，３ｇ，３ｊ，３ｏ，３ｓ  板ばね
４    蓋
４ａ  取付孔
４ｂ  裏面
４ｃ  係合部
４ｆ  嵌合凹部
【図１】
0003605726.tif 000002
【図２】
0003605726.tif 000003
【図３】
0003605726.tif 000004
【図４】
0003605726.tif 000005
【図５】
0003605726.tif 000006
【図６】
0003605726.tif 000007
【図７】
0003605726.tif 000008
【図８】
0003605726.tif 000009
【図９】
0003605726.tif 000010
【図１０】
0003605726.tif 000011
【図１１】
0003605726.tif 000012
【図１２】
0003605726.tif 000013
【図１３】
0003605726.tif 000014
【図１４】
0003605726.tif 000015
【図１５】
0003605726.tif 000016
【図１６】
0003605726.tif 000017
【図１７】
0003605726.tif 000018
【図１８】
0003605726.tif 000019
【図１９】
0003605726.tif 000020
【図２０】
0003605726.tif 000021
【図２１】
0003605726.tif 000022
【図２２】
0003605726.tif 000023
【図２３】
0003605726.tif 000024